(57)【要約】      （修正有）【課題】商品を冷蔵または冷凍状態で陳列するオープンショーケース内の視認性を損なうことなく消費電力を抑えるショーケース用カバー装置を提供する。【解決手段】オープンショーケース１に設けた開口部２を覆う可動式のカーテン６を備えるオープンショーケース用カバー装置５であって、樹脂材料からなるカーテン６を、オープンショーケース１の前方に開口する開口部２を上下方向に横切る向きに配置し、カーテンに、厚み方向に貫通する通孔６３を設け、通孔の分布を、下部から上部に向かうにつれて多くして、開口部の下部側からの冷気の漏れを抑えて消費電力を抑える。【選択図】図１
0003189091.tif 000002
【実用新案登録請求の範囲】
【請求項１】
オープンショーケースの側面に設けた開口部を覆う可動式のカーテンを備えるオープンショーケース用カバー装置であって、
樹脂材料からなるカーテンを、前記開口部を横切る向きに配置し、
前記カーテンに、当該カーテンを厚み方向に貫通する通孔を設け、
前記通孔の分布を、前記開口部の下側を覆う領域から上側を覆う領域に向かうにつれて多くしたことを特徴とするオープンショーケース用カバー装置。
【請求項２】
オープンショーケースの側面に設けた開口部を覆う可動式のカーテンを備えるオープンショーケース用カバー装置であって、
樹脂材料からなるカーテンを、前記開口部を上下方向に横切る向きに配置し、
前記カーテンにおける前記開口部の上側を覆う領域に、当該カーテンを厚み方向に貫通する通孔を設けたことを特徴とするオープンショーケース用カバー装置。
【請求項３】
前記カーテンにおける前記通孔が設けられた領域では、前記通孔の分布が下側から上側に向かうにつれて多くなっていることを特徴とする請求項２に記載のオープンショーケース用カバー装置。
【請求項４】
前記カーテンは、帯状の樹脂シートを長手方向の途中位置で折り返して、折り返し部を起点として巻いた基本形状を有すると共に、前記基本形状で保持されるように巻き癖が付けられており、
前記カーテンは、前記開口部を上下に横切る向きに配置されていることを特徴とする請求項１から請求項３の何れか一項に記載のオープンショーケース用カバー装置。
【請求項５】
前記カーテンは、固定側部材で回転可能に支持された支持部材に、長手方向の一端が固定された帯状の樹脂シートから構成されると共に、前記支持部材に巻き付けられた基本形状を有しており、
前記カーテンは、前記支持部材と前記固定側部材とを接続するコイルスプリングにより、前記基本形状に保持されており、
前記カーテンが前記支持部材から引き出されて前記支持部材が回転すると、前記コイルスプリングが巻き締められて、前記カーテンを巻き取る方向に前記支持部材を回転させる方向の付勢力が発生するようにしたことを特徴とする請求項１から請求項３の何れか一項に記載のオープンショーケース用カバー装置。
【考案の詳細な説明】
【技術分野】
【０００１】
本発明は、オープンショーケース用カバー装置に関するものである。
【背景技術】
【０００２】
商品を冷蔵または冷凍状態で陳列するショーケースには、商品を取り出す為の開口が設けられているものがあり、例えば特許文献１には、前面に開口部が設けられたオープンショーケースが開示されている。
【先行技術文献】
【特許文献】
【０００３】
【特許文献１】実開平０２−６４８８３号公報
【０００４】
この種のオープンショーケースは、一般に、スーパーマーケットなどの商店に設置されており、商店の営業時間外には、オープンショーケースに設けた可動式のカーテンで開口部を覆うことにより、オープンショーケースの開口部から漏出する冷気の量を抑えるようにしている。
【０００５】
ここで、開口部をカーテンで覆うと、カーテンを挟んだオープンショーケースの内部と外部との間の温度差に起因してカーテンの表面に結露が発生する。
そのため、特許文献１のカーテンには、結露の発生を防止するための通孔が、カーテンを厚み方向に貫通して設けられており、通孔の開口率を、カーテンの下側よりも上側のほうを小さくすることで、結露の発生をより好適に防止している。
【考案の概要】
【考案が解決しようとする課題】
【０００６】
近年、オープンショーケースにおける消費電力の削減が強く求められるようになってきている。
しかし、特許文献１のカーテンの場合、結露の発生を好適に防止できるものの、カーテンの下部ほど通孔の開口率が大きいため、オープンショーケース内の下部に滞留した冷気が、通孔から多量に外部へ漏出してしまう。その結果、オープンショーケース内の温度を設定された値に保持すためには多くの電力が必要となり、上記要請に反するものとなっている。
【０００７】
そこで、オープンショーケースにおける消費電力を抑えられるようにすることが求められている。
【課題を解決するための手段】
【０００８】
本考案は、オープンショーケースの側面に設けた開口部を覆う可動式のカーテンを備えるオープンショーケース用カバー装置であって、樹脂材料からなるカーテンを、前記開口部を横切る向きに配置し、前記カーテンに、当該カーテンを厚み方向に貫通する通孔を設け、前記通孔の分布を、前記開口部の下側を覆う領域から上側を覆う領域に向かうにつれて多くしたこと構成のオープンショーケース用カバー装置とした。
【考案の効果】
【０００９】
本考案によれば、開口部を覆うカーテンでは、開口部の下側から上側に向かうにつれて、通孔の分布が多くなるので、開口部の下方側からの冷気の漏れを好適に抑えることができる。よって、オープンショーケースにおける消費電力を抑えることができる。
【図面の簡単な説明】
【００１０】
【図１】実施の形態にかかるオープンショーケース用カバー装置の使用状態を説明する斜視図である。
【図２】実施の形態にかかるオープンショーケース用カバー装置の正面図である。
【図３】実施の形態にかかるオープンショーケース用カバー装置の断面図である。
【図４】第２の実施の形態にかかるオープンショーケース用カバー装置の正面図である。
【図５】第２の実施の形態にかかるオープンショーケース用カバー装置の断面図である。
【図６】第２の実施の形態にかかるオープンショーケース用カバー装置の断面図である。
【考案を実施するための形態】
【００１１】
＜第１の実施形態＞
以下、本発明の実施の形態を説明する。
図１は、第１の実施の形態にかかるオープンショーケース用カバー装置５の使用状態を説明する図であり、オープンショーケース１の開口部２が、下方に引き出したカーテン６により覆われた状態を示した図である。
図２は、オープンショーケース用カバー装置５を説明する図であり、（ａ）は、カーテン６を引き出した状態を示した図であり、（ｂ）は、カーテン６の変形例を説明する図である。
図３は、オープンショーケース用カバー装置５を図２におけるＡ−Ａ線に沿って切断した断面図であり、（ａ）は、カーテン６を収容した状態を示す図であり、（ｂ）は、カーテン６を引き出した状態を示す図である。
なお、以下においては、便宜上、図２を基準として上側を上方、下側を下方として、説明する
【００１２】
図１に示すように、オープンショーケース１の前面には、オープンショーケース１内に陳列される商品の出し入れを可能とする開口部２が設けられている。このオープンショーケース１は、冷気を発生させる冷蔵・冷凍装置（図示せず）を備えており、開口部２の上部に設けた吹出口（図示せず）から吹き出された冷気が、開口部２の下部に設けた吸引口（図示せず）に向けて移動することで、開口部２を覆うエアカーテンが形成されるようになっている。
【００１３】
オープンショーケース１の天板部１１は、開口部２の上縁に沿ってオープンショーケース１の幅方向に延びており、天板部１１の下面に、オープンショーケース用カバー装置５が取り付けられている。
オープンショーケース用カバー装置５は、開口部２の幅方向の全長に亘って設けられており、当該オープンショーケース用カバー装置５が備えるカーテン６を下方に引き出すと、開口部２の略全面が、カーテン６により覆われるようになっている。
【００１４】
開口部２の下縁に沿って幅方向に延びるフロントパネル１２では、幅方向における中央部に、フロントパネル１２から離れる方向に突出してフック部３が設けられている。
このフック部３には、カーテン６の下部に設けた係止具８が係止されるようになっており、カーテン６を下方に引き出したのち、係止具８をフック部３に係止させることで、カーテン６を伸長した状態で保持することができるようになっている。
【００１５】
図２および図３に示すように、オープンショーケース用カバー装置５は、カーテン６と、カーテン６を収容する収容部７と、カーテン６の下端に設けられたカーテンエッジ１０と、カーテンエッジ１０に設けられた係止具８と、から構成される。
【００１６】
カーテン６は、長手方向の途中位置で折り返した一枚の帯状の樹脂シートを、折り返し部６ｃを起点として巻いた基本形状を有している。
カーテン６を構成する樹脂シートは、可撓性と弾性と耐湿性とを備える樹脂材料から構成され、実施の形態では、ポリエチレンテレフタレートからなる樹脂シートが、カーテン６を構成する材料として採用されている。
【００１７】
カーテン６は、一枚の樹脂シートを折り返して重ねたのち、折り返し部６ｃを起点として巻き、その状態で熱をかけることで、巻いた状態の基本形状で保持されるようにして形成されている。
図３の（ｂ）に示すように、基本形状を成すカーテン６では、折り返し部６ｃが中心に位置する巻き付き部６ｄから、樹脂シートの長手方向の一端部６ａと他端部６ｂが延びており、一端部６ａと他端部６ｂを互いに離れる方向に引っ張ると、巻き付き部６ｄから、樹脂シートが順次引き出されて、カーテン６が伸長するようになっている。
【００１８】
この際に、折り返し部６ｃを境としてカーテン６の一端部６ａ側（以下、上側部６１）と他端部６ｂ側（以下、下側部６２）が、巻き付き部６ｄから同じ長さずつ引き出されることで、カーテン６の巻き付き部６ｄがカーテン６の長手方向の中央に常に位置した状態で、カーテン６が伸長するようになっている。
【００１９】
ここで、カーテン６の幅Ｗ１（図２参照）は、開口部２の幅Ｗ２（図１参照）とほぼ同じ幅に設定されており、カーテン６を伸長させたときの最大長さは、開口部２の高さ方向の開口長（開口面の高さ方向の幅）Ｗ３（図１参照）よりも大きい長さに設定されている。そのため、カーテン６をオープンショーケース用カバー装置５から引き出して伸長させた際に、オープンショーケース１の開口部２が、略全面に亘ってカーテン６により覆われるようになっている。
【００２０】
なお、カーテン６は可撓性と弾性とを有する樹脂材料から構成されており、このカーテン６は、熱処理により、巻いた状態の基本形状となるように巻き癖が付けられているので、伸長させた状態のカーテン６には、巻いた状態の基本形状に戻ろうとする復元力が作用している。
そのため、カーテン６の一端部６ａと他端部６ｂを互いに離れる方向に引っ張る力が作用しなくなると、カーテン６の上側部６１と下側部６２が、復元力により、巻き付き部６ｄ内に順次引き込まれて、カーテン６が巻き付き方向（長手方向）に縮まるようになっている。
【００２１】
カーテン６には、当該カーテン６を厚み方向に貫通する通孔６３が設けられている。
図２に示すように、実施の形態では、カーテン６の伸長方向（高さ方向）における通孔６３の間隔Ｗａ、Ｗｂが、下側部６２のほうが上側部６１よりも大きくなるように設定されており、通孔６３による開口率が、上側部６１の方が下側部６２よりも大きくなるようにされている。
実施の形態では、カーテン６に設けた通孔６３の直径を１．５ｍｍ、下側部６２における通孔６３の間隔Ｗａを１６ｍｍ、上側部６１における通孔６３の間隔Ｗｂを８ｍｍとしており、下側部６２の通孔６３を通って外部に漏出する冷気の量が、上側部６１の通孔６３を通って外部に漏出する冷気の量よりも少なくなるようになっている。
【００２２】
樹脂シートの一端部６ａと他端部６ｂには、その幅方向の全長に亘って芯板９ａ、９ｂが取り付けられており、一方の芯板９ａは、基本形状のカーテン６を収容する収容部７内で、係合部７３に係止されている。
【００２３】
収容部７は、水平方向に延びる載置部７１を有しており、この載置部７１の上面に、基本形状のカーテン６が載置されるようになっている。載置部７１は、長手方向における途中位置から上方に折り曲げられており、この折り曲げられた部分が、巻かれた状態のカーテン６の載置部７１からの脱落を阻止する脱落阻止部７１ａとなっている。
【００２４】
載置部７１の天板部１１側の基端には、天板部１１の取付面１１ａに沿って上方に延びる壁部７２が一体に形成されている。壁部７２は、載置部７１の直交方向に直線状に延びたのち、その先端部７２ａ側が、取付面１１ａに沿って載置部７１側に湾曲している。
壁部７２の先端部７２ａ側には、ボルトＢの挿通孔７２ｃが、壁部７２を厚み方向に貫通して形成されている。
図２に示すように、挿通孔７２ｃは、壁部７２の幅方向に間隔を開けて複数設けられており、収容部７は、挿通孔７２ｃを挿通させたボルトＢにより、天板部１１に取り付けられている。
【００２５】
図３に示すように、壁部７２の長手方向における途中位置には、載置部７１側に突出して係合部７３が設けられている。
係合部７３は、壁部７２の内側を壁部７２に沿って下方に延びる直線部７３ａと、直線部７３ａの下端を壁部７２側に折り曲げた係止部７３ｂとを有しており、係止部７３ｂと壁部７２との間の隙間を、芯板９ａの厚みよりも狭くすることで、カーテン６の一端部６ａ側を、係合部７３に支持させている。
【００２６】
実施の形態では、載置部７１の長さＬ１と、壁部７２の高さ方向の長さＬ２は、カーテン６が巻かれた状態であるとき（基本形状であるとき）の巻き付き部６ｄの直径Ｄ１よりも大きくなっており、巻かれた状態のカーテン６が、収容部７内に確実に収容されるようにしている。
【００２７】
カーテン６の他端部６ｂに取り付けられた芯板９ｂには、樹脂製のカーテンエッジ１０が係合して設けられている。
カーテンエッジ１０は、図１および図２に示すように、カーテン６の下端部に取り付けられた矩形形状の部材であり、カーテン６の幅方向の全長に亘って設けられている。
図３に示すように、断面視においてカーテンエッジ１０は、厚み方向に間隔を開けて設けられた係合部１０ａ、１０ａを有しており、係合部１０ａ、１０ａの先端部には、互いに対向する方向に突出する突出部１０ｂ、１０ｂが設けられている。突出部１０ｂ、１０ｂは、カーテン６の他端部６ｂ側のみを挿通可能な隙間を空けて対向しており、係合部１０ａ、１０ａの間に挿入された芯板９ｂが、抜け止めされた状態で、カーテンエッジ１０に係合している。
【００２８】
図１および図２に示すように、カーテンエッジ１０の長手方向における中央部には、取付具８ａを介して、係止具８が取り付けられている。
この係止具８は、カーテン６を引き出した際に、オープンショーケース１の開口部２の下側に設けられたフック部３と係合することで、カーテン６を伸長した状態で保持できるようになっている。
【００２９】
以下、実施の形態にかかるオープンショーケース用カバー装置５の動作を説明する。
商店の閉店後などに、オープンショーケース１の開口部２を、カーテン６で覆う場合には、カーテン６の下部に取付けられた係止具８を摘んで引き下げることで、カーテン６を伸長させる。
そして、係止具８をオープンショーケース１の開口部２の下部に設けられたフック部３に引っ掛けることで、カーテン６が開口部２を覆った状態で保持される。
【００３０】
前記したように、カーテン６に設けられている結露防止のための通孔６３は、カーテン６の下側部６２のほうが、上側部６１よりも少なくなっている。
そのため、通孔６３を介してカーテン６の内側から外側に漏出する冷気の量は、下側部６２の方が少なくなる。
ここで、空気の比重は、温度が低くなるほど大きくなるので、オープンショーケース１内で冷気は、上部よりも下部に多く滞留する。
【００３１】
よって、実施の形態にかかるオープンショーケース用カバー装置５を用いることにより、オープンショーケース１から漏出する冷気の量を抑えることができるので、冷蔵・冷凍時に使用される消費電力を削減することが可能となる。
【００３２】
また、オープンショーケース１の内側と外側とが、カーテン６に設けた通孔６３を介して連通しているので、結露防止効果も認められる。特に、人の目線の高さに近い、カーテン６の上部においては、従来品と同程度の開口率で通孔６３を設けることで、結露防止効果を維持することが可能となる。
【００３３】
なお、商店営業時間内には、係止具８をフック部３から外すことで、カーテン６は、巻いた状態の基本形状に戻ろうとする復元力により、自動的に巻き取られて、開口部２が開口する。
また商店営業時間内においては、開口部２の開口面に沿うように冷媒（冷気）を流すことで、開口部２の開口面にエアカーテンを形成し、これによりオープンショーケース１内の冷気が開口部２から漏出することを防止している。
【００３４】
ここで、下側部６２での通孔６３による開口率を上側部６１よりも小さくした実施の形態にかかるカーテン６を採用したオープンショーケース用カバー装置５と、上側部６１と下側部６２での通孔による開口率を変えていない従来例にかかるカーテンを採用したオープンショーケース用カバー装置とを用いて、消費電力を比較した。
なお、消費電力の比較は、開口部２をカーテンで覆った状態でオープンショーケース１を１０時間に亘って使用した場合について行った。
その結果、実施の形態にかかるオープンショーケース用カバー装置５のほうが、従来例にかかるオープンショーケース用カバー装置よりも、消費電力が約２０％少ないことが確認された。
よって、本考案にかかるオープンショーケース用カバー装置５は、従来例にかかるオープンショーケース用カバー装置よりも省エネ効果に優れていることが確認された。
【００３５】
以上の通り、実施の形態では、オープンショーケース１の側面に設けた開口部２を覆う可動式のカーテン６を備えるオープンショーケース用カバー装置５であって、樹脂材料からなるカーテン６を、当該カーテン６を収容する収容部７により、開口部２を上下に横切る向きに配置し、カーテン６に、当該カーテン６を厚み方向に貫通する通孔６３を設け、通孔６３の分布を、開口部２の下側を覆う領域から上側を覆う領域に向かうにつれて多くした構成のオープンショーケース用カバー装置５とした。
【００３６】
このように構成すると、開口部２を覆うカーテン６では、開口部２の下側を覆う領域から上側を覆う領域に向かうにつれて、通孔６３の分布が多くなっており、通孔６３による開口率が、下側に向かうにつれて小さくなるので、カーテン６における開口部２の下側を覆う領域から漏出する冷気の量を抑えることができる。
ここで、オープンショーケース１内の冷気は、上側よりも下側に多く滞留しており、下側を覆う領域から漏出する冷気の量が抑えられることで、冷蔵・冷凍時に使用される消費電力を削減することが可能となる。
さらに、カーテン６における開口部２の上側を覆う領域では、通孔６３の分布が多くなっており、カーテン６では通孔６３による開口率が上側に向かうにつれて大きくなっている。そのため、カーテン６における開口部２の上側を覆う領域では、下側を覆う領域よりも結露の発生を好適に防止できる。
【００３７】
カーテン６は、一枚の帯状の樹脂製シートを長手方向の途中位置で折り返して、折り返し部６ｃを起点として巻いて形成した巻き付き部６ｄを備える基本形状を有すると共に、カーテン６の形状が基本形状で保持されるように、熱処理（プレストレス）により巻き癖が付けられており、
カーテン６は、長手方向の一端部６ａ側が、カーテン６を収容する収容部７に支持されており、長手方向における他端部６ｂ側を一端部６ａから離す方向に引っ張る力が作用すると、巻き付き部６ｄから、樹脂シートが順次引き出されて、カーテン６が伸長し、
他端部６ｂ側を一端部６ａから離す方向に引っ張る力が作用しなくなると、巻き癖に起因する復元力により、引き出されていたカーテン６の一端部６ａ側と他端部６ｂ側が巻き付き部６ｄ内に順次引き込まれて、カーテン６が巻き付き方向（長手方向）に縮まるようになっている構成とした。
【００３８】
このように構成すると、カーテン６の伸縮を簡単に行うことができる。
特に、巻き癖に起因する復元力を利用することで、自動巻取り可能なカーテン６が実現されるので、この自動巻戻り機能を持つカーテン６とすることで、カーテン６の開閉（特に開放）をスピーディに行うことができ、商店の開店・閉店準備（特に開店準備）をスムーズに行う上で、極めて有用な効果を発揮することになる。
【００３９】
前記した第１の実施形態では、カーテン６の伸長方向（高さ方向）における通孔６３の間隔Ｗａ、Ｗｂを、下側部６２のほうを上側部６１よりも大きくして、通孔６３による開口率が、下側部６２の方が上側部６１よりも小さくなるようにした場合を例示したが、通孔６３を、上側部６１のみに設けて、下側部６２に設けないようにしても良い。
【００４０】
このように構成すると、開口部２の下側を覆う下側部６２からの冷気の漏出を、さらに抑えることができるので、冷蔵・冷凍時に使用される消費電力をいっそうの削減が可能となる。
【００４１】
この場合において、上側部６１における通孔６３の分布を、下側から上側に向かうにつれて多くすることで、消費電力のよりいっそうの削減が期待される。
【００４２】
＜第２の実施形態＞
以下、第２の実施形態にかかるオープンショーケース用カバー装置５Ａを説明する。
図４は、第２の実施形態にかかるオープンショーケース用カバー装置５Ａを説明する図であり、（ａ）は、カーテン６Ａを引き出した状態の正面図、（ｂ）は、（ａ）におけるＢ−Ｂ矢視図である。
図５は、第２の実施形態にかかるオープンショーケース用カバー装置５Ａを、図４の（ａ）におけるＡ−Ａ線で切断した断面図である。図６の（ａ）は、図５におけるＡ−Ａ断面図であって、巻き取り機構１３を説明する図であり、（ｂ）は、（ａ）におけるＡ−Ａ断面図である。
なお、前記した第１の実施形態の場合と同様に、以下においては、図４を基準として上側を上方、下側を下方として説明する。さらに、図６では、軸線Ｘの軸方向に延びる巻き取り機構１３の一部の図示を省略している。
【００４３】
図４および図５に示すように、オープンショーケース用カバー装置５Ａは、カーテン６Ａと、カーテン６Ａを収容する収容部７Ａと、カーテン６の下端に設けられたカーテンエッジ１０と、カーテンエッジ１０に設けられた係止具８と、から構成される。
オープンショーケース用カバー装置５Ａは、カーテン６Ａの構成と、引き出されたカーテン６Ａを収容部７Ａ内に巻き取るための巻き取り機構１３（図５の（ｂ）参照）を備えている点が、前記した第１の実施形態にかかるオープンショーケース用カバー装置５と相違している。
【００４４】
カーテン６Ａは、長手方向の一端部６ａが円筒状の円筒部材２０に固定された一枚の帯状の樹脂シートを、円筒部材２０に巻き付けた基本形状を有しており、この基本形状のカーテン６Ａでは、円筒部材２０の外周に巻き付けられたカーテン６Ａにより、巻き付き部６ｄが形成されている。
カーテン６Ａを構成する樹脂シートは、可撓性と弾性と耐湿性とを備える樹脂材料から構成され、本実施の形態においても、ポリエチレンテレフタレートからなる樹脂シートが、カーテン６Ａを構成する材料として採用されている。
【００４５】
カーテン６Ａの長手方向の他端部６ｂを円筒部材２０から離れる方向（図５における下方向）引っ張ると、円筒部材２０に巻き付けられた巻き付き部６ｄから、樹脂シートが順次引き出されて、カーテン６Ａが巻き付き方向（長手方向）に伸長するようになっている。
【００４６】
ここで、カーテン６Ａは、前記した第１の実施の形態のカーテン６の幅Ｗ１と同じ幅で形成されており、このカーテン６Ａにも、当該カーテン６Ａを厚み方向に貫通する通孔６３が設けられている。
図４に示すように、カーテン６Ａでは、当該カーテン６Ａの伸長方向（高さ方向）における通孔６３の間隔が、円筒部材２０側の一端部６ａから、カーテンエッジ１０側の他端部６ｂに向かうにつれて広くなるように設定されており、一端部６ａ側の通孔６３の間隔Ｗｂは、他端部６ｂ側の通孔６３の間隔Ｗａよりも小さくなっている。
そのため、カーテン６Ａでも、通孔６３による開口率が、下側部６２の方が上側部６１よりも小さくなっている。
【００４７】
図４の（ａ）および図５に示すように、カーテン６Ａを構成する樹脂シートの他端部６ｂには、その幅方向の全長に亘って芯板９ｂが取り付けられており、この芯板９ｂには、樹脂製のカーテンエッジ１０が係合して設けられている。
なお、カーテンエッジ１０の構成は、前記した第１の実施の形態のカーテンエッジ１０と同じであるので、ここでは、その説明を省略する。
【００４８】
一方、樹脂シートの一端部６ａは、幅方向（図４における左右方向）の全長に亘って、巻き取り機構１３の円筒部材２０に取り付けられている。
実施の形態では、カーテン６Ａによりオープンショーケース１の開口部２（図１参照）を覆わない場合には、カーテン６Ａは、円筒部材２０の外周に巻き付けられた状態で、収容部７Ａ内に収容されるようになっている。
【００４９】
収容部７Ａは、天板部１１の取付面１１ａに沿って上方に延びる壁部７５と、壁部７５の上端から壁部７５の直交方向に延びる上壁部７６と、壁部７５の下端から上壁部７６と同方向に突出する突出部７７と、壁部７５の長手方向における両端部に設けられた支持壁部７８、７８と、を備えて構成される。
壁部７５と上壁部７６と突出部７７とは、一体に形成されており、壁部７５における天板部１１の取付面１１ａとは反対側の面７５ａに、支持壁部７８、７８が取り付けられている。
【００５０】
上壁部７６と突出部７７は、天板部１１の取付面１１ａから離れる方向に延びており、上壁部７６は、円筒部材２０に巻き付けられたカーテン６Ａの巻き付き部６ｄ上方に及ぶ長さＬａで形成されている（図４の（ｂ）参照）。
突出部７７は、支持壁部７８の下端部７８１を支持可能な長さＬｂで形成されており、支持壁部７８は、その上端部７８２と下端部７８１とが、上壁部７６と突出部７７との間に挟まれた状態で、壁部７５に取り付けられている。
【００５１】
壁部７５には、当該壁部７２を厚み方向に貫通して、ボルトＢの挿通孔７５ｂが形成されている（図５参照）。挿通孔７５ｂは、壁部７５の長手方向に間隔を開けて複数設けられており、収容部７（壁部７５）は、挿通孔７５ｂを挿通させたボルトＢにより、天板部１１に取り付けられている。
【００５２】
図４の（ｂ）に示すように、支持壁部７８は、高さ方向における中央部７８３が、上端部７８２および下端部７８１よりも壁部７５から離れる方向に突出した形状を有している。
壁部７５の長手方向（図４の（ａ）における左右方向）で間隔を開けて配置された支持壁部７８、７８では、中央部７８３、７８３における互いの対向面に、円筒部材２０の支持部となるボス部７８４（図６参照）が設けられている。
円筒部材２０は、長手方向における一端部２０ａと他端部２０ｂに設けた軸受部２１、２２を介して、ボス部７８４で回転可能に支持されており、円筒部材２０の軸受部２１側の内部には、下方に引き出されたカーテン６Ａを、円筒部材２０に巻き取るための巻き取り機構１３が設けられている。
【００５３】
以下、図６を参照して、巻き取り機構１３を説明する。
なお、第２の実施形態では、カーテン６Ａが巻き取られる円筒部材２０の長手方向の一端部に、巻き取り機構１３が設けられている。
【００５４】
巻き取り機構１３は、円筒部材２０の一端部２０ａに取り付けられる軸受部２１と、軸受部２１を回転可能に支持する支持軸部２６と、軸受部２１と支持軸部２６とに跨がって設けられたコイルスプリングＳｐと、を備えて構成される。
【００５５】
軸受部２１は、円筒部材２０が外挿される円筒状の基部２１０を有しており、この基部２１０の外周には、基部２１０よりも大径の大径部２１１が設けられている。
基部２１０において大径部２１１は、周方向の全周に亘って、円筒部材２０と同一の外径で形成されている。
【００５６】
そのため、円筒部材２０は、一端部２０ａが大径部２１１に当接する位置まで基部２１０に外挿されるようになっており、円筒部材２０の軸受部２１に対する位置決めが、大径部２１１により行われるようになっている。
【００５７】
また、基部２１０に外挿された円筒部材２０の一端部２０ａは、かしめられており、基部２１０と円筒部材２０とが、相対回転不能に連結されている。
基部２１０の外周には、コイルスリングＳｐの係合部Ｓｐａを係止させる係止溝２１１ａが設けられており、この係合部Ｓｐａの外周が、円筒部材２０により覆われることで、係合部Ｓｐａの基部２１０からの脱落が阻止されている。
【００５８】
基部２１０の中心には、基部２１０を長手方向に貫通して貫通孔２１ａが形成されており、この貫通孔２１ａを、支持軸部２６の連結部２３１が軸線Ｘ方向に貫通している。この状態において軸受部２１は、貫通孔２１ａを貫通させた連結部２３１で、回転可能に支持されている。
【００５９】
連結部２３１の先端側では、その外周面に平面部２３１ｂが形成されており、連結部２３１の先端側は、支持壁部７８に形成した矩形形状の嵌合孔７８ａに、軸線Ｘの軸方向から挿入されている。これにより、連結部２３１は、回り止めされた状態で、支持壁部７８で支持されている。
連結部２３１の先端側の内部には、連結部２３１内を軸線Ｘに沿って延びるビス孔２３１ａが形成されており、ビス孔２３１ａは、支持壁部７８側に開口している。
このビス孔２３１ａには、支持壁部７８を貫通させたビス７９が螺入しており、連結部２３１の嵌合孔７８ａからの脱落が、連結部２３１に螺入させたビス７９により阻止されている。
【００６０】
支持軸部２６では、連結部２３１に隣接して大径部２３２が設けられており、この大径部２３２と支持壁部７８のボス部７８４との間で、軸受部２１の軸線Ｘ方向の位置決めがされている。
【００６１】
大径部２３２を挟んで連結部２３１の反対側には、シャフト連結部２３３が設けられている。シャフト連結部２３３は、大径部２３２よりも小さい外径で形成されており、このシャフト連結部２３３には、円筒形状のシャフト２４の一端２４ａが外挿されている。
この状態において、シャフト２４のシャフト連結部２３３に外挿されている部分は、かしめられており、シャフト２４とシャフト連結部２３３（連結部材２３）とが、相対回転不能に連結されている。
【００６２】
シャフト２４の他端２４ｂには、連結部材２５が軸線Ｘの軸方向から連結されている。
連結部材２５は、軸線Ｘの軸方向から見てリング状の係合溝２５３を有しており、この係合溝２５３に、シャフト２４の他端２４ｂが軸線Ｘの軸方向から嵌入している。この状態において、シャフト２４と連結部材２５は、軸線Ｘ周りの相対回転が規制された状態で、互いに連結されている。
【００６３】
連結部材２５は、円筒部材２０の内周とシャフト２４の外周との間に配置される基部２５１を有しており、基部２５１の支持壁部７８側には、シャフト２４の外周を所定間隔で囲む周壁部２５２が、支持壁部７８側に延出して形成されている。
この周壁部２５２の内側では、コイルスプリングＳｐの一端側に設けた係合部Ｓｐｂが、軸線Ｘの径方向からシャフト２４を貫通して、シャフト２４に係合しており、係合部Ｓｐｂのシャフト２４からの脱落が、係合部Ｓｐｂの外径側を覆う周壁部２５２により阻止されている。
【００６４】
シャフト２４に外挿されたコイルスプリングＳｐは、その一端に設けた係合部Ｓｐｂが、シャフト２４に係止されると共に、他端に設けた係合部Ｓｐａが、円筒部材２０と一体に回転する軸受部２１に係止されている。
【００６５】
実施の形態では、連結部２３１とシャフト２４と連結部材２５とが相対回転不能に連結されて支持軸部２６を構成しており、この支持軸部２６は、軸線Ｘ周りの回転が規制された状態で支持壁部７８に固定されている。
そのため、カーテン６Ａが引き出されて、円筒部材２０に連結された軸受部２１と支持壁部７８に固定された支持軸部２６とが軸線Ｘ周りに相対回転すると、コイルスプリングＳｐが巻き締められて、カーテン６Ａを巻き取る方向に円筒部材２０を回転させようとする付勢力が発生するようになっている。
【００６６】
よって、引き出されたカーテン６Ａの係止具８を、オープンショーケース１のフック部３（図１参照）から外すと、巻き締められたコイルスプリングＳｐから作用する付勢力で、カーテン６Ａが上方に移動しながら円筒部材２０に巻き付けられて、収容部７内に回収されるようになっている。
【００６７】
なお、円筒部材２０の他端部２０ｂには、軸受部２２が取り付けられている。この軸受部２２は、円筒部材２０が外挿される円筒形状の基部２２０を有しており、この基部２００の外周には、基部２２０よりも大径の大径部２２１が設けられている。
基部２２０において大径部２２１は、周方向の全周に亘って、円筒部材２０と同一の外径で形成されている。
【００６８】
そのため、円筒部材２０は、他端部２０ｂが大径部２２１に当接する位置まで基部２２０に外挿されるようになっており、円筒部材２０の軸受部２２に対する位置決めが、大径部２２１により行われるようになっている。
【００６９】
また、基部２２０に外挿された円筒部材２０の他端部２０ｂは、かしめられており、基部２２０と円筒部材２０とが、相対回転不能に連結されている。
基部２２０の中心には、基部２２０を長手方向に貫通して貫通孔２２ａが形成されており、この貫通孔２２ａには、支持壁部７８に設けた円筒状の支持軸部７８２が、軸線Ｘの軸方向から挿入されている。
この状態において、円筒部材２０の他端部２０ｂは、支持壁部７８の支持軸部７８２に、軸受部２２を介して回転可能に支持されている。
【００７０】
以下、第２の実施形態にかかるオープンショーケース用カバー装置５Ａの動作を説明する。
商店の閉店後に、オープンショーケース１の開口部２を、カーテン６Ａで覆う場合には、カーテン６Ａの下部に取付けられた係止具８を摘んで引き下げることで、カーテン６Ａを伸長させる。
そして、係止具８をオープンショーケース１の開口部２の下部に設けられたフック部３に引っ掛けることで、カーテン６Ａが開口部２を覆った状態で保持される。
【００７１】
前記したようにカーテン６Ａでは、当該カーテン６Ａの伸長方向（高さ方向）における通孔６３の間隔が、円筒部材２０側の一端部６ａから、カーテンエッジ１０側の他端部６ｂに向かうにつれて広くなるように設定されており、通孔６３による開口率が、他端部６ｂ側の下方に向かうにつれて小さくなっている。
よって、実施の形態にかかるオープンショーケース用カバー装置５Ａを用いることによっても、オープンショーケース１から漏出する冷気の量を抑えることができるので、冷蔵・冷凍時に使用される消費電力を削減することが可能となる。
【００７２】
また、開口部２の上側では、オープンショーケース１内側と外側とが、カーテン６Ａに設けた通孔６３を介して連通しているので、上側部６１側では、オープンショーケース１内の冷気が通孔６３を通って外部に漏出することで、カーテン６Ａを挟んだ内側と外側の温度差が大きくなることが防止されて、結露の発生が抑えられる。
【００７３】
また、商店開店時や営業時間内には、係止具８をフック部３から外すことで、カーテン６Ａは、自動巻取り機構１３により円筒部材２０に巻き取られて、開口部２が開口する。
【００７４】
ここで、第２の実施形態にかかるカーテン６Ａを採用したオープンショーケース用カバー装置５Ａと、カーテンにおける開口率を変えていない従来例にかかるカーテンを採用したオープンショーケース用カバー装置とを用いて、消費電力を比較した。
なお、消費電力の比較は、開口部２をカーテンで覆った状態でオープンショーケース１を１０時間に亘って使用した場合について行った。
その結果、第２の実施形態にかかるオープンショーケース用カバー装置５Ａにおいても、従来例にかかるオープンショーケース用カバー装置よりも、消費電力が少ないことが確認された。
【００７５】
以上の通り、第２の実施形態では、オープンショーケース１の側面に設けた開口部２を覆う可動式のカーテン６Ａを備えるオープンショーケース用カバー装置５Ａであって、樹脂材料からなるカーテン６Ａを、当該カーテン６Ａを収容する収容部７Ａにより、開口部２を上下に横切る向きに配置し、カーテン６Ａに、当該カーテン６を厚み方向に貫通する通孔６３を設け、通孔６３の分布を、開口部２の下側を覆う領域から上側を覆う領域に向かうにつれて多くし、
カーテン６Ａは、収容部７の支持壁部７８（固定側部材）で回転可能に支持された円筒部材２０（支持部材）に、長手方向の一端部６ａが固定された帯状の樹脂シートから構成されると共に、カーテン６Ａは、円筒部材２０に巻き付けられた巻き付け部６ｄを備える基本形状を有しており、
カーテン６Ａは、円筒部材２０と、支持軸部２６とを接続するコイルスプリングＳｐにより、基本形状に保持されており、
カーテン６Ａが円筒部材２０から引き出されて円筒部材２０が回転すると、コイルスプリングＳｐが巻き締められて、６Ａカーテンを巻き取る方向に円筒部材２０を回転させる方向の付勢力が発生するようにした構成のオープンショーケース用カバー装置５Ａとした。
【００７６】
このようにすることによっても、オープンショーケース１から漏出する冷気の量を抑えることができるので、冷蔵・冷凍時に使用される消費電力を削減することが可能となる。
さらに、オープンショーケース１内の冷気が通孔６３を通って外部に漏出することで、カーテン６Ａを挟んだ内側と外側の温度差が大きくなることが防止されて、結露の発生が抑えられる。
【００７７】
前記した第１の実施形態では、オープンショーケース用カバー装置５を、天板部１１の下面に設けた場合を例示したが、オープンショーケース用カバー装置５の設置態様は、この態様に限定されるものではない。
カーテン６によりオープンショーケース１の開口部２を覆うことができる位置であれば良く、例えば、オープンショーケース用カバー装置５を、天板部１１の上面や側面に設けた構成としても良い。
【００７８】
さらに、前記した第１の実施形態では、収容部７から引き出したカーテン６を、開口部２の上側から下側に伸長させて開口部２をカーテン６で覆う場合を例示したが、カーテン６を開口部２の下側から上側に伸長させて開口部２を覆う構成や、開口部６の左側（右側）から右側（左側）に伸長させて開口部２を覆う構成としても良い。
【００７９】
また、前記した第１の実施形態では、カーテン６を伸長させたのち、フロントパネル１２の外側に設けたフック部３に、カーテン６に設けた係止具８を係止させて、カーテン６を伸長させた状態で保持する場合を例示したが、係止部８をフロントパネル１２の内側にフック部３を設けた構成としても良い。
【００８０】
さらに、前記した第１の実施形態では、図２に示すように、カーテン６の伸長方向における通孔６３の間隔Ｗａ、Ｗｂを変更することで、カーテン６の上側部６１と下側部６２での通孔６３による開口率を変更するようにした場合を例示したが、上側部６１と下側部６２での通孔６３の並びを変更することで開口率を変更するようにしても良い。
【００８１】
例えば、図２の（ａ）では、カーテン６の幅方向に等間隔で形成された通孔６３の孔列Ｌｘ、Ｌｙを、カーテン６の幅方向に半ピッチずらした状態で、カーテン６の伸長方向に等間隔で交互に形成した場合を例示したが、カーテンの伸長方向における一方の孔列Ｌｘを間引いて、図２の（ｂ）のようにすることで、開口率を変更するようにしても良い。
ここで、カーテン６に通孔６３を設けるための装置では、通孔６３の形状に対応する突起が、通孔６３の配置に対応させて設けられたパンチ用いて、カーテン６に通孔６３を形成する。
そのため、通孔６３の間隔を変更することで開口率を変更する場合よりも、孔列を間引くことで開口率を変更する方が、カーテン６に通孔を設けるための装置での対応が容易である。よって、カーテンの伸長方向における一方の孔列Ｌｘを間引いて開口率を変更することで、通孔６３を設けたカーテンを、より安価に作製することが可能となる。
【符号の説明】
【００８２】
１      オープンショーケース
２      開口部
３      フック部
５、５Ａ    オープンショーケース用カバー装置
６、６Ａ    カーテン
６ａ    一端部
６ｂ    他端部
６ｃ    折り返し部
６ｄ    巻き付き部
７、７Ａ    収容部
８      係止具
９ａ、９ｂ    芯板
１０    カーテンエッジ
１１    天板部
１１ａ  取付面
１２    フロントパネル
１３    巻き取り機構
２０    円筒部材
２１    軸受部
２２    軸受部
２３    連結部材
２４    シャフト
２５    連結部材
２６    支持軸部
６１    上側部
６２    下側部
６３    通孔
７１    載置部
７１ａ  脱落阻止部
７２    壁部
７３    係合部
７５    壁部
７６    上壁部
７７    突出部
７８    支持壁部
７９    軸部材
２１０  大径部
２１１  小径部
２３１  連結部
２３２  大径部
２３３  シャフト連結部
２５１  基部
２５２  周壁部
２５３  係合溝
７８１  下端部
７８２  上端部
７８３  中央部
７８４  ボス部
Ｂ      ボルト
Ｓｐ    コイルスプリング
Ｘ      軸線
【図１】
0003189091.tif 000003
【図２】
0003189091.tif 000004
【図３】
0003189091.tif 000005
【図４】
0003189091.tif 000006
【図５】
0003189091.tif 000007
【図６】
0003189091.tif 000008